(57)【要約】【課題】一度の画像取り込みで解像度の異なる複数の送付先に画像を送信できる画像処理装置とする。【解決手段】画像制御部１５は、メモリ部１３に蓄積された画像データを解像度要求に応じて解像度変換を行ない、再度メモリ部１３に蓄積することを送信先として指定された送信先情報に含まれる解像度の種類分だけ繰り返し行なう。その後、制御部１４およびネットワークＩ／Ｆ部１２により、メモリ部１３に蓄積された解像度変換された画像データを該当する送信先となるメールアドレスに転送することを繰り返すことにより一度の操作で複数の送信先に異なった解像度の画像を転送する。【選択図】図２
2004056387.tif 000002
【特許請求の範囲】
【請求項１】
画像の取り込みを行う画像入力部と、該画像入力部にて取り込んだ画像の解像度変換を行う解像度変換部と、データ送信が可能なＩ／Ｆ部と、を備えてなる画像処理装置において、
複数の送付先情報に送付先の解像度も含めて記録するメモリ部を備え、該メモリ部に記憶された複数の送付先情報を指定して前記Ｉ／Ｆ部からデータ送信する際、前記解像度変換部にて指定された送付先情報に応じた解像度に変換して各送信先にデータ送信することを特徴とする画像処理装置。
【請求項２】
前記メモリ部への送付先情報の記録は、画像処理装置に接続される外部機器から前記Ｉ／Ｆ部を介して、または画像処理装置装置に形成される入力表示部にて行うことを特徴とする請求項１記載の画像処理装置。
【発明の詳細な説明】
【０００１】
【発明の属する技術分野】
本発明は、画像処理装置に関し、特に、画像の取り込みを行う画像入力部とＥメール等のデータ送信が可能なＩ／Ｆ部とを備えた画像処理装置に関するものである。
【０００２】
【従来の技術】
従来のＦＡＸ、あるいはＦＡＸ機能やコピー機能を備えた画像処理装置においては、スキャナ部による原稿読み込み、またはホストコンピュータ等からの画像データ送信により画像の取り込みを行う画像入力部と、ネットワークを介してＥメール等のデータ送信が可能なＩ／Ｆ部とを備えたものがあった。
【０００３】
このような画像処理装置には、例えばＳＣＡＮ　ＴＯ　Ｅ−ＭＡＩＬ同報通信機能があり、複数の送付先に対して取り込んだ画像を同一の解像度にてＥメール送信することができる。
【０００４】
また、画像入力部にて取り込んだ画像の解像度変換を行う解像度変換部を備え、送付先に合わせて取り込んだ画像の解像度を変換した後にＥメール送信を行うものがあった。
【０００５】
【発明が解決しようとする課題】
ところが、従来の画像処理装置は、画像入力部にて取り込んだ画像を高解像度で鮮明な画像を要求する送付先と低解像度でファイル容量を抑えて高速転送を要求する送付先に対して送信する場合、画像の取り込みを行なって送信する行為を２回繰り返さなければならないという問題があった。
【０００６】
【課題を解決するための手段】
本発明は、上記問題に鑑みてなされたものであり、画像の取り込みを行う画像入力部と、該画像入力部にて取り込んだ画像の解像度変換を行う解像度変換部と、データ送信が可能なＩ／Ｆ部と、を備えてなる画像処理装置において、複数の送付先情報に送付先の解像度も含めて記録するメモリ部を備え、該メモリ部に記憶された複数の送付先情報を指定して前記Ｉ／Ｆ部からデータ送信する際、前記解像度変換部にて指定された送付先情報に応じた解像度に変換して各送信先にデータ送信する画像処理装置としたものである。
【０００７】
【発明の実施の形態】
以下、本発明の実施例について、図面を用いて説明する。
図１は、本発明の画像処理装置が接続されたネットワーク構成を示す図であり、画像処理装置１、ネットワーク２、サーバ等を含むパソコン３，４、ルータ等を通して接続された遠方のネットワークに接続されたパソコン５，６よりなるものである。
【０００８】
図２は、図１の画像処理装置１を示す構成ブロック図である。
画像入力部１１は、原稿等を読み込むことにより画像の取り込みを行うスキャナ部となる。ネットワークＩ／Ｆ部１２は、ネットワーク２を介して直接Ｅメール送信やパーソナルコンピュータ３，４，５，６と通信を行い、パソコン３，４，５，６から送信される画像の取り込みを行う。メモリ部１３は、画像入力部１１またはネットワーク２から取り込んだ画像を蓄積して保管するとともに、複数の送付先情報を記録する。本発明は、この送付先情報として送付先の装置（例えば、パソコン３，４，５，６）の解像度も含めて記録することを特徴とする。
【０００９】
制御部１４は、画像処理装置１全体を制御し、例えばネットワーク２との通信制御、画像処理装置１内での画像制御、入力や表示の制御、およびメモリ部１３に蓄積した画像をファイル管理する制御を行う。画像制御部１５は、制御部１４内の１制御部となり、取り込んだ画像の解像度を変換する解像度変換部１６を有し、画像制御を主とするものである。また、入力表示部１７は、画像処理装置１で必要となる入力や表示を行い、送付先情報の登録も行う。
【００１０】
このような構成により、画像処理装置１は、画像入力部１１またはネットワークＩ／Ｆ部１２から取り込んだ画像を画像データに変換してメモリ部１３に蓄積する機能、メモリ部１３に蓄積された画像データを要求に応じて画像制御部１５内の解像度変換部１６により解像度変換を行ない、再度メモリ部１３に蓄積する機能、あるいは取り込んだ画像をメールとして転送するＳＣＡＮ　ＴＯ　Ｅ−ＭＡＩＬ機能を有するようにできる。
【００１１】
この解像度変換は、入力表示部１７やパソコン３，４，５，６から設定された１または複数の送信先情報に含まれる解像度に応じてなされるものである。画像制御部１５は、メモリ部１３に蓄積された画像データを解像度要求に応じて解像度変換を行ない、再度メモリ部１３に蓄積することを送信先として指定された送信先情報に含まれる解像度の種類分だけ繰り返し行なう。その後、制御部１４およびネットワークＩ／Ｆ部１２により、メモリ部１３に蓄積された解像度変換された画像データを該当する送信先となるメールアドレスに転送することを繰り返すことにより一度の操作で複数の送信先に異なった解像度の画像を転送することができるようになる。
【００１２】
具体的には、画像処理装置１からの送信先が送信先情報として解像度６００ｄｐｉ（ドット／インチ）をメモリ部１３に記録しているパソコン３と解像度７５ｄｐｉをメモリ部１３に記録しているパソコン４の場合、従来はパソコン３に解像度６００ｄｐｉの画像を転送する時に１回、パソコン４に７５ｄｐｉの画像を転送する時に１回と、２回の取り込み処理を行ってそれぞれに転送する必要があった。本発明では、１回の画像取り込みにより、パソコン３，４に設定された解像度にてネットワーク２を通して送信することができるようになる。
【００１３】
次に、各送信先の送信先情報である送信先アドレスや要求解像度のパソコン３からの設定例について説明する。
図３は、パソコン３にて起動される画像処理装置１への転送ドライバの一例を示す図であり、３１は画像処理装置１への転送ドライバの表示画面、３４は表示画面３１の画像処理装置１への転送ドライバの表示における送信先設定ボタン３２を指定することによって表示されるＳＣＡＮ　ＴＯ　Ｅ−ＭＡＩＬ送信先アドレス設定画面、３３はＳＣＡＮ　ＴＯ　Ｅ−ＭＡＩＬ送信指示ボタンである。
【００１４】
操作者は、表示画面３１から送信先設定ボタン３２を選択して、ＳＣＡＮ　ＴＯ　Ｅ−ＭＡＩＬ送信先アドレス設定画面３４を起動する。この画面でＴｏ，ｃｃ，Ｂｃｃ等の送信モード、送信先、送信先アドレス、送信先解像度を設定し、設定ボタン３５を指定することによりこの送信先情報を画像処理装置１に送信することができ、画像処理装置１の入力表示部１７での煩雑な入力手段を使用することなく、画像処理装置１のメモリ部１３に送信先情報を記録することが可能となる。
【００１５】
次に、各送信先の送信先アドレスや送信先解像度の入力表示部１７からの設定例について、図４を用いて説明する。
図４は、入力表示部１７を示す図であり、送付先情報を登録可能な入力表示機能を有する入力表示部１７として、画像処理装置１の状態を表示したりＥメール送信先などを表示する表示部１７１、ＳＣＡＮ　ＴＯ　Ｅ−ＭＡＩＬ起動ボタン１７２、設定ボタン１７３を形成している。
【００１６】
操作者は、表示部１７１にてＥメールの送信先情報を確認しながら、設定キー１７３を使用して送信モードＴｏ，ｃｃ，Ｂｃｃを切替えたり、送信先解像度を切替選択できる。そして、ＳＣＡＮ　ＴＯ　Ｅ−ＭＡＩＬ起動ボタン１７２にてＳＣＡＮ　ＴＯ　Ｅ−ＭＡＩＬを実行し、上述したように１度の押下操作で複数の送信先に異なった解像度の画像を転送することができる。
【００１７】
【発明の効果】
以上説明したように、本発明の画像処理装置によれば、複数の送付先情報に送付先の解像度も含めて記録するメモリ部を備え、メモリ部に記憶された送付先情報を指定してＩ／Ｆ部からＥメール等のデータ送信する際、解像度変換部にて送付先情報に応じた解像度に変換することにより、一度の画像取り込みで解像度の異なる複数の送付先に画像を送信できる画像処理装置となる。
【図面の簡単な説明】
【図１】本発明の画像処理装置を有するネットワーク構成を示す図である。
【図２】本発明の画像処理装置を示す構成ブロック図である。
【図３】外部装置であるパソコンにて起動される画像処理装置への転送ドライバの表示を示す図である。
【図４】本発明の画像処理装置の入力表示部を示す図である。
【符号の説明】
１：画像処理装置
２：ネットワーク
３，４，５，６：パソコン
１１：画像入力部
１２：ネットワークＩ／Ｆ部
１３：メモリ部
１４：制御部
１５：画像制御部
１６：解像度変換部
１７：入力表示部
３１：表示画面
３２：送信先アドレス設定画面呼び出しボタン
３３：ＳＣＡＮ　ＴＯ　Ｅ−ＭＡＩＬ送信指示ボタン
３４：ＳＣＡＮ　ＴＯ　Ｅ−ＭＡＩＬ送信先アドレス設定画面
３５：設定ボタン
１７１：表示部
１７２：ＳＣＡＮ　ＴＯ　Ｅ−ＭＡＩＬ起動ボタン
１７３：設定ボタン
【図１】
2004056387.tif 000003
【図２】
2004056387.tif 000004
【図３】
2004056387.tif 000005
【図４】
2004056387.tif 000006